(57)【特許請求の範囲】
【請求項１】
天井構造体に止着される外枠内にその一側を枢着して嵌合された内枠の他側を該外枠に掛止する天井点検口の掛止装置において、掛止具は、その基板に平行する上縁および下縁が形成され、また該基板の前面中央部から該基板に間隔をおいて該下縁を越えて下方に延長する垂下部下端に直交状に拡大する操作部が形成されると共に、該操作部前側上方に挿入間隙を隔てて該基板から爪部が突設され、該内枠の構成要素である一縁の内枠条片は、その外側面上下における上側折返縁および下側折返縁によって対向する上溝および下溝が形成されると共に、長さ方向に所定の間隔をおいて一対の係止突起が形成され、該上溝および該下溝に該掛止具の該上縁および該下縁が挿入された該掛止具は、該基板の後面を該内枠条片の外側面に接して該内枠条片に対し一対の該係止突起によって制限された範囲で側方に移動可能に嵌着され、該外枠の構成要素であると共に該内枠条片に対向する一縁の外枠条片には、点検口閉扉時に該内枠条片の該下側折返縁に対向する下側フランジが形成されると共に、該下側フランジの所定位置には該掛止具の該爪部が通過可能な切り欠きが設けられ、点検口開扉状態から閉扉する際に、該切り欠きを通過した該掛止具の該爪部が、該掛止具の側方移動により該外枠条片の該下側フランジ上に移動し、該掛止具の該操作部と該爪部との間の該挿入間隙内に該外枠条片の該下側フランジを挟持して該内枠を該外枠に掛止することを特徴とする天井点検口の掛止装置。
【請求項２】
前記掛止具の基板両側方には側片が延長し、一双の該側片後側には凹陥部が形成されると共に、前記内枠条片の外側面には所定の位置に一対の隆起部が形成され、該掛止具の該内枠条片に対する側方移動が該掛止具の一方の前記係止突起によって制限されている位置であると同時に該掛止具の前記爪部が前記外枠条片の前記切り欠きに一致する位置で、一方の該係止突起側に延長する該側片における該凹陥部が該内枠条片の一方の隆起部に係合して該掛止具を弾圧係止すると共に、該掛止具の該内枠条片に対する側方移動が該掛止具の他方の前記係止突起によって制限されている位置で、他方の該係止突起側に延長する該側片における該凹陥部が該内枠条片の他方の隆起部に係合して該掛止具を弾圧係止することを特徴とする請求項１記載の天井点検口の掛止装置。
【請求項３】
前記掛止具は、合成樹脂で一体的に形成されていることを特徴とする請求項１又は２記載の天井点検口の掛止装置。
【請求項４】
前記掛止具は、金属で一体的に形成されていることを特徴とする請求項１又は２記載の天井点検口の掛止装置。
【請求項５】
前記掛止具の前記操作部は、前記垂下部下端に直交状に折曲げられた金属突片が合成樹脂で被覆されて形成されたものであることを特徴とする請求項４記載の天井点検口の掛止装置。
【発明の詳細な説明】
【０００１】
【発明の属する技術分野】
本発明は、天井構造体に止着される外枠内にその一側を枢着して嵌合された内枠の他側を該外枠に掛止する天井点検口の掛止装置に関する。
【０００２】
【従来の技術】
天井裏の配線、配管等を点検するための天井点検口において、外枠内に嵌合される内枠を閉扉状態に維持する掛止装置には、従来周知であるグレモン錠形式の装置を始め、種々の装置が開発されている。掛止装置の主要部分を内枠条片に収納し、掛止操作部を内枠条片の長さ方向に移動させて掛止操作を行う形式の掛止装置も、例えば特開昭４９−１０２１２３号公報、特公昭５２−３５２０９号公報、実公昭５４−３８１０８号公報、実公昭５７−５３８０３号公報等に記載されている。そしてこれらの従来例には、部品点数が多くその組立作業が容易でない点や、現在主流となっている薄幅の内枠条片に組込むことが困難な点等、現在実施することに障害となる特性を有している。
【０００３】
【発明が解決しようとする課題】
本発明が解決しようとする課題は、薄幅の内枠条片内に主要部分をコンパクトに収容することが可能であり、操作用具を使用する必要がなく簡単な掛止操作で確実な掛止を行うことが出来ると共に、部品点数が少なく簡単な作業で組立を行うことが可能な天井点検口の掛止装置を提供することにある。
【０００４】
【課題を解決するための手段】
前記課題を解決するために、本発明にかかる天井点検口の掛止装置は、掛止操作部を内枠条片の長さ方向に移動させて掛止操作を行う掛止形式において、掛止装置の主要部分を単一の板状の掛止具として内枠条片に収容することにより、薄幅の内枠条片にも支障なく使用することが可能となり、またその掛止操作は容易で確実な掛止状態を得ることができると共に、装置の部品点数を減少させ、組立作業を容易としている。
【０００５】
【発明の実施の形態】
本発明にかかる天井点検口の掛止装置は、天井構造体に止着される外枠内にその一側を枢着して嵌合された内枠の他側を該外枠に掛止する天井点検口の掛止装置において、掛止具は、その基板に平行する上縁および下縁が形成され、また該基板の前面中央部から該基板に間隔をおいて該下縁を越えて下方に延長する垂下部下端に直交状に拡大する操作部が形成されると共に、該操作部前側上方に挿入間隙を隔てて該基板から爪部が突設され、該内枠の構成要素である一縁の内枠条片は、その外側面上下における上側折返縁および下側折返縁によって対向する上溝および下溝が形成されると共に、長さ方向に所定の間隔をおいて一対の係止突起が形成され、該上溝および該下溝に該掛止具の該上縁および該下縁が挿入された該掛止具は、該基板の後面を該内枠条片の外側面に接して該内枠条片に対し一対の該係止突起によって制限された範囲で側方に移動可能に嵌着され、該外枠の構成要素であると共に該内枠条片に対向する一縁の外枠条片には、点検口閉扉時に該内枠条片の該下側折返縁に対向する下側フランジが形成されると共に、該下側フランジの所定位置には該掛止具の該爪部が通過可能な切り欠きが設けられ、点検口開扉状態から閉扉する際に、該切り欠きを通過した該掛止具の該爪部が、該掛止具の側方移動により該外枠条片の該下側フランジ上に移動し、該掛止具の該操作部と該爪部との間の該挿入間隙内に該外枠条片の該下側フランジを挟持して該内枠を該外枠に掛止することを主な特徴とする。
【０００６】
また、それぞれの制限位置、即ちそれぞれの基板の側方当接位置で、それぞれの制限位置から掛止具が不用意に移動して、閉扉状態の内枠が予期しない開扉を生じたり、開扉状態から閉扉しようとして掛止具の爪部の位置が外枠条片の下側フランジにおける切り欠きに合致せず、作業性を悪化させるようなことを防止するために、このような天井点検口の掛止装置において、前記掛止具の基板両側方には側片が延長し、一双の該側片後側には凹陥部が形成されると共に、前記内枠条片の外側面には所定の位置に一対の隆起部が形成され、該掛止具の該内枠条片に対する側方移動が該掛止具の一方の前記係止突起によって制限されている位置であると同時に該掛止具の前記爪部が前記外枠条片の前記切り欠きに一致する位置で、一方の該係止突起側に延長する該側片における該凹陥部が該内枠条片の一方の隆起部に係合して該掛止具を弾圧係止すると共に、該掛止具の該内枠条片に対する側方移動が該掛止具の他方の前記係止突起によって制限されている位置で、他方の該係止突起側に延長する該側片における該凹陥部が該内枠条片の他方の隆起部に係合して該掛止具を弾圧係止することを特徴とする。
【０００７】
さらに本発明にかかる天井点検口の掛止装置の前記掛止具は、弾力性を有する合成樹脂で一体的に形成されていることや、弾力性を有する金属で一体的に形成されていること、さらに、掛止具を金属製とした場合に、その操作部は合成樹脂で被覆されていることを特徴とする。
【０００８】
【実施例】
次に本発明の実施例を、添付図面を参照して説明する。
図１は天井点検口の分解斜視図である。天井点検口は、天井構造体（図示していない。）に止着されている外枠１内に内枠２が嵌合された構造を有し、外枠１の一側に寄せて設けられた一対の軸受３（片方のみ図示。）に内枠２の一側に寄せて突設された一対の短軸４（片側のみ図示。）が軸支されていて外枠１に対し内枠２が回動自在とされている。外枠１は４個の外枠条片５を方形に組立てて形成され、同様に内枠２は４個の内枠条片６を方形に組立てて形成される。図３の断面図に示されるように、外枠１の周囲には天井板７が張巡らされ、また内枠２の内部には、内枠２に止着された下地板８の下面に天井仕上板９が張設される。外枠１に対し内枠２を閉扉状態に維持するために、外枠１および内枠２のそれぞれ他側に位置する外枠条片５および内枠条片６には、掛止具１０を含む本発明の目的とする天井点検口の掛止装置が設置される。
【０００９】
図２には、天井点検口の掛止装置において、内枠条片６に掛止具１０が嵌着されている状態が示されている。図２に示される掛止具１０は、その全体の形状が図６および図７にも示され、ポリアセタール、ナイロン樹脂、ＡＢＳ樹脂等の弾力性を有する合成樹脂で形成される。掛止具１０は、その方形状の基板１１上下に平行する上縁１２と下縁１３が形成され、基板１１の前面中央部から基板１１に間隔をおいて下縁１３を越えて下方に延長する垂下部１４下端には直交状に拡大する操作部１５が形成されると共に、操作部１５の前側上方には挿入間隙１６を隔てて基板１１から爪部１７が突設されている。また掛止具１０の基板１１の両側方には側片１８，１８が延長し、一双の側片１８，１８の後側には凹陥部１９，１９が形成されている。さらに側片１８，１８の先端後面には傾斜縁２０，２０が設けられている。
【００１０】
天井点検口の掛止装置が設けられる内枠２における一縁の内枠条片６には、その外側面２１上下における上側折返縁２２および下側折返縁２３によって対向する上溝２４および下溝２５が形成されている。上溝２４内には左右に所定の間隔をおいて一対の係止突起２６，２６が突設される。係止突起２６，２６は後述するように、内枠条片６に掛止具１０を嵌着する工程中にその突設工程が組入れられる。また内枠条片６の外側面２１には、掛止具１０における側片１８，１８の凹陥部１９，１９に関連する所定の位置について一対の隆起部２７，２７が突設される。隆起部２７，２７も後述するように、内枠条片６に掛止具１０を嵌着する工程中にその突設工程が組入れられる。
【００１１】
掛止具１０を内枠条片６に嵌着するには、予め内枠条片６の上溝２４に一方の係止突起２６をまた外側面２１に一方の隆起部２７を形成した内枠条片６の上溝２４および下溝２５に掛止具１０の上縁１２および下縁１３を側方から挿入し、次いで掛止具１０を挟んだ状態で所定間隔をおいた内枠条片６の上溝２４に他方の係止突起２６を、また所定間隔をおいた外側面２１に他方の隆起部２７を形成する。このようにして掛止具１０は、基板１１の後面を内枠条片６の外側面２１に接する状態で側方に移動可能に嵌着される。そして掛止具１０は、掛止具１０における上縁１２の一端が内枠条片６における一方の係止突起２６に当接すると共に掛止具１０の一方の側片１８における凹陥部１９が内枠条片６の一方の隆起部２７に係合する一方の制限位置と、掛止具１０における上縁１２の他端が内枠条片６における他方の係止突起２６に当接すると共に掛止具１０の他方の側片１８における凹陥部１９が内枠条片６の他方の隆起部２７に係合する他方の制限位置との間の限定された範囲内で操作部１５の操作によって移動可能とされる。
【００１２】
内枠条片６に対向する外枠条片５は点検口開扉時に内枠条片６の下側折返縁２３に対向する下側フランジ２８が形成され、図４および図５に示されるように、下側フランジ２８には、前記した掛止具１０の一方の制限位置において、掛止具１０の爪部１７が通過可能な切り欠き２９が設けられている。したがって掛止具１０の一方の制限位置では、開扉状態の内枠２の内枠条片６側を持上げれば、内枠２は短軸４を中心に回転し、内枠条片６に嵌着された掛止具１０の爪部１７は外枠条片５の切り欠き２９を通過し、操作部１５が外枠条片５に当接して図４に示す位置に至る。この状態から操作部１５を内枠条片６の長さ方向に沿って移動すると掛止具１０は、図５に示す他方の制限位置に至って停止し、図３に示されるように、操作部１５と爪部１７の間の挿入間隙１６に外枠条片５の下側フランジ２８を挟持して天井点検口の閉扉状態を維持する。また図５に示す閉扉状態から操作部１５を内枠条片６の長さ方向に沿って反対方向に移動すると、掛止具１０は他方の制限位置から図４に示す一方の制限位置に至って停止し、爪部１７が外枠条片５の下側フランジ２８を通過可能とされ開扉することができる。なお図示の例では、係止突起２６，２６は上溝２４内に突設されているが、必ずしも上溝２４内に位置限定されるものではなく、下溝２５内に突設されてもよく、また外側面２１上に突設されてもよい。
【００１３】
このように操作部１５の単純操作によって係止突起２６，２６に掛止具１０の両側端を当接させ、掛止具１０の爪部１７を正確に位置決めさせることができるから、開扉操作および閉扉操作を容易に行うことが出来る。またそれぞれの制限位置、即ちそれぞれの基板１１の側方当接位置で、基板１１における側片１８の凹陥部１９が内枠条片６の隆起部２７に係合し掛止具１０を弾圧係止することにより掛止具１０の位置を保持し、それぞれの制限位置から掛止具１０が不用意に移動して、閉扉状態の内枠２が予期しない開扉を生じたり、開扉状態から閉扉しようとして掛止具１０の爪部１７の位置が外枠条片５の下側フランジ２８における切り欠き２９に合致せず、作業性を悪化させるようなことを防止する。側片１８は弾性材料で製造されているから、凹陥部１９と隆起部２７の係合は、操作部１５の操作により円滑に行われるが、必要に応じて側片１８，１８の先端後面に傾斜縁２０，２０を形成して、側片１８の隆起部２７への乗越しをさらに円滑化させることが出来る。
【００１４】
図８および図９には、操作部１５以外を弾力性を有する金属製とした掛止具１０を使用した例が示されており、金属板をプレス加工して製造される。材料を換えてもその機能は前記した合成樹脂製の掛止具と同様であり、同一の符号は同一の箇所を示している。前記合成樹脂製の例と異なる点は、金属製の基板１１の厚みを内枠条片６の上溝２４および下溝２５の幅に対応させると共に基板１１と内枠条片６の外側面２１とが密着しないようにするために、基板１１に複数のスペーサ突起３０が後方に突設されている点が挙げられる。また操作部１５については、垂下部１４から折曲げられた金属突片を合成樹脂で被覆したものが採用されている点が挙げられる。
【００１５】
本発明にかかる天井点検口の掛止装置は、前記のように、掛止装置の主要部分を単一の板状の掛止具１０として内枠条片６内にコンパクトに収容することにより、薄幅の内枠条片６を採用する天井点検口でも支障なく使用することが可能であり、その掛止操作は特別な開閉用具を必要とせず容易であり、確実な掛止を行うことが出来る。また掛止装置の専用部品は１点のみであって安価であり、工場での組立作業も簡単である。
【００１６】
【発明の効果】
本発明は、次のような効果を奏する。
Ａ．掛止装置の主要部分を単一の板状の掛止具として内枠条片内にコンパクトに収容することにより、薄幅の内枠条片を採用する天井点検口でも支障なく使用することが可能である。
Ｂ．開扉操作および閉扉操作は、特別な開閉用具を必要とせず、操作部の単純操作によって内枠条片のそれぞれの係止突起に掛止具の両側端を当接させ、掛止具の爪部を正確に位置決めさせることができるから、容易且つ確実に行うことが可能である。
Ｃ．掛止装置の専用部品は１点のみであって安価であり、工場での組立作業も簡単である。
Ｄ．それぞれの基板側方当接位置で、基板における側片の凹陥部が内枠条片の隆起部に係合し掛止具を弾圧係止する場合には、掛止具の位置を保持し、それぞれの制限位置から掛止具が不用意に移動して、閉扉状態の内枠が予期しない開扉を生じたり、開扉状態から閉扉しようとして掛止具の爪部の位置が外枠条片の下側フランジにおける切り欠きに合致せず、作業性を悪化させるようなことを防止する。
【図面の簡単な説明】
【図１】天井点検口の分解斜視図である。
【図２】内枠条片に嵌着された合成樹脂製掛止具を示す斜視図である。
【図３】掛止装置の縦断面図である。
【図４】掛止具の爪部が外枠の切り欠きに一致した状態を示す掛止装置の横断面図である。
【図５】掛止具の爪部が外枠の切り欠きから外れた状態を示す掛止装置の横断面図である。
【図６】合成樹脂製掛止具の前面側斜視図である。
【図７】合成樹脂製掛止具の後面側斜視図である。
【図８】内枠条片に嵌着された金属製掛止具を示す斜視図である。
【図９】金属製掛止具の後面側斜視図である。
【符号の説明】
１  外枠
２  内枠
５  外枠条片
６  内枠条片
１０  掛止具
１１  基板
１２  上縁
１３  下縁
１４  垂下部
１５  操作部
１６  挿入間隙
１７  爪部
１８  側片
１９  凹陥部
２１  外側面
２２  上側折返縁
２３  下側折返縁
２４  上溝
２５  下溝
２６  係止突起
２７  隆起部
２８  下側フランジ
２９  切り欠き
【図１】
0004650986.tif 000002
【図２】
0004650986.tif 000003
【図３】
0004650986.tif 000004
【図４】
0004650986.tif 000005
【図５】
0004650986.tif 000006
【図６】
0004650986.tif 000007
【図７】
0004650986.tif 000008
【図８】
0004650986.tif 000009
【図９】
0004650986.tif 000010